(57)【特許請求の範囲】
【請求項１】
金属製の筺体に機器収納室と換気室とを形成し、機器収納室に電気機器の動作情報を外部と通信する送受信ユニットを設置し、換気室に筺体外部に開口する通気口と、通気口を通して外部と前記送受信ユニットとの間で電波を中継する空中線とを設け、空中線を通信線により前記送受信ユニットに接続したことを特徴とするキュービクル。
【請求項２】
前記機器収納室と前記換気室とを通気性の隔壁で区画し、前記空中線は前記隔壁の通線口に通した通信線により前記送受信ユニットに接続されている請求項１記載のキュービクル。
【請求項３】
前記換気室が筺体のルーフ部に形成され、前記通気口がルーフ部の庇パネルに下向きに開口し、前記空中線が換気室内で庇パネルに添設されている請求項１または２記載のキュービクル。
【請求項４】
前記換気室が筺体のベース部に形成され、前記通気口がベース部の壁パネルに横向きに開口し、前記空中線が換気室内で壁パネルに添設されている請求項１または２記載のキュービクル。
【発明の詳細な説明】
【技術分野】
【０００１】
本発明は、電気機器の動作情報を外部と通信する機能を備えたキュービクルに関する。
【背景技術】
【０００２】
従来、電気機器の動作情報を無線で外部と通信するために、送受信ユニットを筺体の内側に設置したキュービクルが知られている。この種のキュービクルは、内部機器を保護するために筺体が金属板で形成されているため、電波が筺体により遮蔽され、通信に支障を来たすことがある。そこで、電波を中継する空中線を筺体の外部に設けたキュービクルが提案されている。
【０００３】
例えば、特許文献１には、図９に示すようなキュービクル５１において、筺体５２の内部に無線装置（図示略）を設置し、筺体５２の外部に支持柱一体型空中線５３を立設し、空中線５３の通信線（フィーダ線）を筺体５２の通線口（図示略）に通して無線装置に接続する技術が記載されている。
【先行技術文献】
【特許文献】
【０００４】
【特許文献１】特開平０８−３１６７１３号公報
【発明の概要】
【発明が解決しようとする課題】
【０００５】
ところが、従来のキュービクル５１によると、既設の受電または送電設備に通信機能を追加する場合に、通線口を筺体５２に追加加工する必要があり、筺体５２の剛性が低下し、内部機器の保護機能に悪影響を及ぼすという問題点があった。また、筺体５２の外部に長大な空中線５３が露出するため、キュービクル５１の外観の見栄えが悪くなるという不都合もあった。
【０００６】
そこで、本発明の目的は、内部機器の保護機能を低下させることなく、既存設備に空中線を見栄えよく簡易に装備できるキュービクルを提供することにある。
【課題を解決するための手段】
【０００７】
上記課題を解決するために、本発明は次のようなキュービクルを提供する。
（１）金属製の筺体に機器収納室と換気室とを形成し、機器収納室に電気機器の動作情報を外部と通信する送受信ユニットを設置し、換気室に筺体外部に開口する通気口と、通気口を通して外部と送受信ユニットとの間で電波を中継する空中線とを設け、空中線を通信線により前記送受信ユニットに接続したことを特徴とするキュービクル。
【０００８】
（２）機器収納室と前記換気室とを通気性の隔壁で区画し、前記空中線は前記隔壁の通線口に通した通信線により前記送受信ユニットに接続されていることを特徴とするキュービクル。
【０００９】
（３）換気室が筺体のルーフ部に形成され、通気口がルーフ部の庇パネルに下向きに開口し、空中線が換気室内で庇パネルに添設されていることを特徴とするキュービクル。
【００１０】
（４）換気室が筺体のベース部に形成され、通気口がベース部の壁パネルに横向きに開口し、空中線が換気室内で壁パネルに添設されていることを特徴とするキュービクル。
【発明の効果】
【００１１】
本発明のキュービクルによれば、空中線を筺体の換気室に内装し、換気室の通気口を通して電波を中継するとともに、隔壁の通線口に通した通信線によって空中線を送受信ユニットに接続するので、筺体に既設の穴あき部材を利用し、内部機器の保護機能を低下させることなく、空中線を見栄えよく簡易に装備できるという効果がある。
【図面の簡単な説明】
【００１２】
【図１】本発明の実施例１を示すキュービクルの斜視図である。
【図２】通信形態を示す図１のキュービクルの側面図である。
【図３】空中線と通信線の配線構造を示す筺体ルーフ部の斜視図である。
【図４】換気室、通気口および空中線を示す筺体ルーフ部の断面図である。
【図５】本発明の実施例２を示すキュービクルの斜視図である。
【図６】通信形態を示す図５のキュービクルの側面図である。
【図７】空中線と通信線の配線構造を示す筺体ベース部の斜視図である。
【図８】換気室、通気口および空中線を示す筺体ベース部の断面図である。
【図９】従来のキュービクルを示す斜視図である。
【発明を実施するための形態】
【００１３】
以下、本発明の実施形態を図面に基づいて説明する。図１〜図４は、空中線１２が筺体２のルーフ部４に装備された実施例１のキュービクル１を示す。図５〜図８は、空中線１２が筺体２のベース部５に装備された実施例２のキュービクル２１を示す。各図において、同一の符号は同一または類似する部材を示す。
【実施例１】
【００１４】
図１、図２に示すように、実施例１のキュービクル１は金属製の筺体２を備えている。筺体２は、機器収納室３ａを形成する本体部３と、上側換気室４ａを形成するルーフ部４と、下側換気室５ａを形成するベース部５とから構成されている。そして、機器収納室３ａに、受電または送電用の各種電気機器（図示略）と、電気機器の動作情報を外部ユニット６と無線で通信する送受信ユニット７とが収納されている。
【００１５】
図３、図４に示すように、ルーフ部４は本体部３の上端に接続され、上側換気室４ａと機器収納室３ａとが通気性の隔壁８で上下に区画されている。ルーフ部４には庇部４ｂが筺体２の前面扉９よりも前方に張り出すように形成され、庇部４ｂの下面に庇パネル１０が設けられている。庇パネル１０には複数のスリット状の通気口１１が下向きに開口するように形成され、上側換気室４ａ内の暖気が通気口１１を通って筺体２の外部に放出される。
【００１６】
上側換気室４ａの内側において、庇パネル１０には空中線１２が通気口１１に臨むように添設されている。空中線１２は、隔壁８に既設の通線口１３に挿通された通信線１４によって送受信ユニット７に接続され、通気口１１を通して電波を外部ユニット６と送受信ユニット７との間で中継する。なお、空中線１２としては、使用する電波の周波数に応じた種類の空中線を選択できる。通線口１３としては、ボルト挿通孔や通気用スリットなど、隔壁８に既設の穴を利用できる。
【実施例２】
【００１７】
図５〜図８に示す実施例２のキュービクル２１では、空中線１２がベース部５の下側換気室５ａに設けられている。図７、図８に示すように、本体部３はベース部５上に据え付けられ、機器収納室３ａと下側換気室５ａとが通気性の隔壁（床パネル）２２で上下に区画されている。ベース部５の前側の壁パネル２３には複数の通気口２４が横向きに開口するように形成され、外気が通気口２４を通って下側換気室５ａ内に流入する。
【００１８】
下側換気室５ａの内側において、空中線１２は通気口２４に臨むように壁パネル２３に添設されている。そして、隔壁２２の通線口２５に通信線１４が挿通され、通信線１４によって空中線１２が送受信ユニット７に接続され、通気口２４を通して電波を外部ユニット６と送受信ユニット７との間で中継するようになっている。なお、通線口２５としては、実施例１と同様に、隔壁２２に既設の穴を利用できる。
【００１９】
この実施形態のキュービクル１，２１によれば、次のような作用効果が得られる。
（ａ）送受信ユニット７と空中線１２を互いに分離した状態で設けたので、空中線１２を小型に製作して、上側または下側の換気室４ａ，５ａにコンパクトに内装できる。
（ｂ）送受信ユニット７を筺体本体部３の内側に設置し、該ユニット６に電気機器の動作情報を容易に提供できるとともに、電源を安定的に供給できる。
【００２０】
（ｃ）空中線１２を換気室４ａ，５ａに内装したので、従来（図９参照）と比較し、キュービクル１，２１の外観上の見栄えが向上する。
（ｄ）空中線１２を筺体２に既設の通気口１１，２４に臨ませ、また、通信線１４を筺体２に既設の隔壁８，２２の穴（通線口１３，２５）を利用して配線したので、筺体２に追加の穴を加工する必要がなく、筺体２の剛性を維持し、内部機器を安全に保護できる。
【００２１】
（ｅ）空中線１２をルーフ部４に設けた実施例１の場合は、特に、空中線１２を雨水から確実に保護できるうえ、キュービクル１の前面側で操作される外部ユニット６と的確に交信できる利点がある。
（ｆ）空中線１２をベース部５に設けた実施例２の場合は、特に、筺体２の下部で通信線１４を容易に引き回すことができる利点がある。
【００２２】
なお、本発明は、上記実施形態に限定されるものではなく、例えば、空中線を上側換気室と下側換気室の両方に内装したり、筺体２の背面、側面等に配置したりするなど、発明の趣旨を逸脱しない範囲で、各部の構成を適宜に変更して実施することも可能である。
【符号の説明】
【００２３】
１，２１    キュービクル
２    筺体
３ａ    機器収納室
４    ルーフ部
４ａ    上側換気室
５    ベース部
５ａ    下側換気室
７    送受信ユニット
８，２２    隔壁
１０    庇パネル
１１，２４    通気口
１２    空中線
１３，２５    通線口
１４    通信線
【図１】
0005944197.tif 000002
【図２】
0005944197.tif 000003
【図３】
0005944197.tif 000004
【図４】
0005944197.tif 000005
【図５】
0005944197.tif 000006
【図６】
0005944197.tif 000007
【図７】
0005944197.tif 000008
【図８】
0005944197.tif 000009
【図９】
0005944197.tif 000010